(57)【要約】      （修正有）【課題】商品販売会社にとってファッションモデルのような専門特化したマネキンを高額コストで採用せず、顧客にとっても採用したマネキンが街中、車中でファッションショー会場のように行動し、実際に商品を装着する現場で装着感がリアルに実感観察できる臨場感の高い商品購入方法を提供する。【解決手段】服飾販売会社が専用ソフトを使用してクラウド上に形成した情報ネットワークにより、顧客１が携帯情報端末２から前記服飾販売会社が契約した肖像権の許可されたマネキンＥＴを特定し、彼らが装着した商品（１０Ａ〜１０Ｅ）の商品情報をＧＰＳ等位置情報及びまたは画像情報から検知、検索する。【選択図】図１
2019133611.tif 000002
【特許請求の範囲】
【請求項１】
商品販売会社が専用ソフトを使用して情報ネットワークにより顧客が携帯情報端末からマネキンを特定し彼らが装着した商品情報を検知、検索することを特徴とする情報ネットワークマネキンシステム
【請求項２】
商品販売会社が専用ソフトを使用して情報ネットワークにより顧客が携帯情報端末からマネキンを特定し彼らが装着した商品情報をGPS等位置情報及びまたは画像情報から検知、検索することを特徴とする情報ネットワークマネキンシステム
【請求項３】
服飾販売会社が専用ソフトを使用して情報ネットワークにより顧客が携帯情報端末からマネキンを特定し彼らが装着した商品情報を検知、検索することを特徴とする情報ネットワークマネキンシステム
【請求項４】
服飾販売会社が専用ソフトを使用して情報ネットワークにより顧客が携帯情報端末からマネキンを特定し彼らが装着した商品情報をGPS等位置情報及びまたは画像情報から検知、検索することを特徴とする情報ネットワークマネキンシステム
【請求項５】
商品販売会社が専用ソフトを使用して情報ネットワークにより顧客が携帯情報端末から前記商品販売会社が契約したマネキンを特定し彼らが装着した商品情報を検知、検索することを特徴とする情報ネットワークマネキンシステム
【請求項６】
商品販売会社が専用ソフトを使用して情報ネットワークにより顧客が携帯情報端末から前記商品販売会社が契約したマネキンを特定し彼らが装着した商品情報をGPS等位置情報及びまたは画像情報から検知、検索することを特徴とする情報ネットワークマネキンシステム
【請求項７】
服飾販売会社が専用ソフトを使用して情報ネットワークにより顧客が携帯情報端末から前記服飾販売会社が契約したマネキンを特定し彼らが装着した商品情報を検知、検索することを特徴とする情報ネットワークマネキンシステム
【請求項８】
服飾販売会社が専用ソフトを使用して情報ネットワークにより顧客が携帯情報端末から前記服飾販売会社が契約したマネキンを特定し彼らが装着した商品情報をGPS等位置情報及びまたは画像情報から検知、検索することを特徴とする情報ネットワークマネキンシステム
【請求項９】
商品販売会社が専用ソフトを使用して情報ネットワークにより顧客が携帯情報端末から肖像権の許可されたマネキンを特定し彼らが装着した商品情報を検知、検索することを特徴とする情報ネットワークマネキンシステム
【請求項１０】
服飾販売会社が専用ソフトを使用して情報ネットワークにより顧客が携帯情報端末から肖像権の許可されたマネキンを特定し彼らが装着した商品情報をGPS等位置情報及びまたは画像情報から検知、検索することを特徴とする情報ネットワークマネキンシステム
【請求項１１】
服飾販売会社が専用ソフトを使用して情報ネットワークにより顧客が携帯情報端末から肖像権の許可されたマネキンを特定し彼らが装着した商品情報を検知、検索することを特徴とする情報ネットワークマネキンシステム
【請求項１２】
服飾販売会社が専用ソフトを使用して情報ネットワークにより顧客が携帯情報端末から肖像権の許可されたマネキンを特定し彼らが装着した商品情報をGPS等位置情報及びまたは画像情報から検知、検索することを特徴とする情報ネットワークマネキンシステム
【請求項１３】
商品販売会社が専用ソフトを使用して情報ネットワークにより顧客が携帯情報端末から前記商品販売会社が契約した肖像権の許可されたマネキンを特定し彼らが装着した商品情報を検知、検索することを特徴とする情報ネットワークマネキンシステム
【請求項１４】
商品販売会社が専用ソフトを使用して情報ネットワークにより顧客が携帯情報端末から前記商品販売会社が契約した肖像権の許可されたマネキンを特定し彼らが装着した商品情報をGPS等位置情報及びまたは画像情報から検知、検索することを特徴とする情報ネットワークマネキンシステム
【請求項１５】
服飾販売会社が専用ソフトを使用して情報ネットワークにより顧客が携帯情報端末から前記服飾販売会社が契約した肖像権の許可されたマネキンを特定し彼らが装着した商品情報を検知、検索することを特徴とする情報ネットワークマネキンシステム
【請求項１６】
服飾販売会社が専用ソフトを使用して情報ネットワークにより顧客が携帯情報端末から前記服飾販売会社が契約した肖像権の許可されたマネキンを特定し彼らが装着した商品情報をGPS等位置情報及びまたは画像情報から検知、検索することを特徴とする情報ネットワークマネキンシステム
【請求項１７】
商品販売会社が専用ソフトを使用してクラウド上に形成した情報ネットワークにより顧客が携帯情報端末からマネキンを特定し彼らが装着した商品情報を検知、検索することを特徴とする情報ネットワークマネキンシステム
【請求項１８】
商品販売会社が専用ソフトを使用してクラウド上に形成した情報ネットワークにより顧客が携帯情報端末からマネキンを特定し彼らが装着した商品情報をGPS等位置情報及びまたは画像情報から検知、検索することを特徴とする情報ネットワークマネキンシステム
【請求項１９】
服飾販売会社が専用ソフトを使用してクラウド上に形成した情報ネットワークにより顧客が携帯情報端末からマネキンを特定し彼らが装着した商品情報を検知、検索することを特徴とする情報ネットワークマネキンシステム
【請求項２０】
服飾販売会社が専用ソフトを使用してクラウド上に形成した情報ネットワークにより顧客が携帯情報端末からマネキンを特定し彼らが装着した商品情報をGPS等位置情報及びまたは画像情報から検知、検索することを特徴とする情報ネットワークマネキンシステム
【請求項２１】
商品販売会社が専用ソフトを使用してクラウド上に形成した情報ネットワークにより顧客が携帯情報端末から前記商品販売会社が契約したマネキンを特定し彼らが装着した商品情報を検知、検索することを特徴とする情報ネットワークマネキンシステム
【請求項２２】
商品販売会社が専用ソフトを使用してクラウド上に形成した情報ネットワークにより顧客が携帯情報端末から前記商品販売会社が契約したマネキンを特定し彼らが装着した商品情報をGPS等位置情報及びまたは画像情報から検知、検索することを特徴とする情報ネットワークマネキンシステム
【請求項２３】
服飾販売会社が専用ソフトを使用してクラウド上に形成した情報ネットワークにより顧客が携帯情報端末から前記服飾販売会社が契約したマネキンを特定し彼らが装着した商品情報を検知、検索することを特徴とする情報ネットワークマネキンシステム
【請求項２４】
服飾販売会社が専用ソフトを使用してクラウド上に形成した情報ネットワークにより顧客が携帯情報端末から前記服飾販売会社が契約したマネキンを特定し彼らが装着した商品情報をGPS等位置情報及びまたは画像情報から検知、検索することを特徴とする情報ネットワークマネキンシステム
【請求項２５】
商品販売会社が専用ソフトを使用してクラウド上に形成した情報ネットワークにより顧客が携帯情報端末から肖像権の許可されたマネキンを特定し彼らが装着した商品情報を検知、検索することを特徴とする情報ネットワークマネキンシステム
【請求項２６】
服飾販売会社が専用ソフトを使用してクラウド上に形成した情報ネットワークにより顧客が携帯情報端末から肖像権の許可されたマネキンを特定し彼らが装着した商品情報をGPS等位置情報及びまたは画像情報から検知、検索することを特徴とする情報ネットワークマネキンシステム
【請求項２７】
服飾販売会社が専用ソフトを使用してクラウド上に形成した情報ネットワークにより顧客が携帯情報端末から肖像権の許可されたマネキンを特定し彼らが装着した商品情報を検知、検索することを特徴とする情報ネットワークマネキンシステム
【請求項２８】
服飾販売会社が専用ソフトを使用してクラウド上に形成した情報ネットワークにより顧客が携帯情報端末から肖像権の許可されたマネキンを特定し彼らが装着した商品情報をGPS等位置情報及びまたは画像情報から検知、検索することを特徴とする情報ネットワークマネキンシステム
【請求項２９】
商品販売会社が専用ソフトを使用してクラウド上に形成した情報ネットワークにより顧客が携帯情報端末から前記商品販売会社が契約した肖像権の許可されたマネキンを特定し彼らが装着した商品情報を検知、検索することを特徴とする情報ネットワークマネキンシステム
【請求項３０】
商品販売会社が専用ソフトを使用してクラウド上に形成した情報ネットワークにより顧客が携帯情報端末から前記商品販売会社が契約した肖像権の許可されたマネキンを特定し彼らが装着した商品情報をGPS等位置情報及びまたは画像情報から検知、検索することを特徴とする情報ネットワークマネキンシステム
【請求項３１】
服飾販売会社が専用ソフトを使用してクラウド上に形成した情報ネットワークにより顧客が携帯情報端末から前記服飾販売会社が契約した肖像権の許可されたマネキンを特定し彼らが装着した商品情報を検知、検索することを特徴とする情報ネットワークマネキンシステム
【請求項３２】
服飾販売会社が専用ソフトを使用してクラウド上に形成した情報ネットワークにより顧客が携帯情報端末から前記服飾販売会社が契約した肖像権の許可されたマネキンを特定し彼らが装着した商品情報をGPS等位置情報及びまたは画像情報から検知、検索することを特徴とする情報ネットワークマネキンシステム
【発明の詳細な説明】
【技術分野】
【０００１】
本発明は、IoT（Internet of Things）等情報ネットワークを使用し専用ソフトと携帯情報端末によりマネキンを特定してこれが装着した商品情報を検知、検索することを特徴とする情報ネットワークマネキンシステムに関するものである。
【背景技術】
【０００２】
従来、アパレル業界、装飾品店舗では商品を装着、装飾したマネキンを店内、ショーウインドー等に配置して顧客に販売していた。
しかし、顧客は店舗販売員の煩わしいし接客や販売テクニックにより高額商品を購入してしまう事が多かった。
また、衣装、モードのコレクション、ファッションショーと同時にファションモデル（以下マネキンと称す）が会場で装着していた商品を顧客が自らスマートフォン等携帯情報端末を使用してインターネットで予約購入するビジネスも活発である。
さらに、ヘアデザイナー等の理美容、マネキュアデザイン等美容業界ではマネキンによるＴＶバラエティショー、コマーシャル等による商品、店舗の宣伝販売も盛んである。
また、従来のカタログ販売のように分厚い商品のカタログ集、商店のホームページ等で顧客が自ら商品を選択する方法もある。
【先行技術文献】
【非特許文献】
【０００３】
【非特許文献１】（服飾雑貨の分類）FASHION BIZ NAVIhttp://www.fashionbiznavi.org/fbProduct/grocerClassification/
【非特許文献２】（情報ネットワーク）ブリタニカ国際大百科事典 小項目事典の解説https://kotobank.jp/word/%E6%83%85%E5%A0%B1%E3%83%8D%E3%83%83%E3%83%88%E3%83%AF%E3%83%BC%E3%82%AF-170740#E3.83.96.E3.83.AA.E3.82.BF.E3.83.8B.E3.82.AB.E5.9B.BD.E9.9A.9B.E5.A4.A7.E7.99.BE.E7.A7.91.E4.BA.8B.E5.85.B8.20.E5.B0.8F.E9.A0.85.E7.9B.AE.E4.BA.8B.E5.85.B8
【非特許文献３】（ポケモンGO  Pokemon GO）Wikpediahttps://ja.wikipedia.org/wiki/Pokemon_GO
【非特許文献４】（位置情報SNS）  Wikipediahttps://ja.wikipedia.org/wiki/%E4%BD%8D%E7%BD%AE%E6%83%85%E5%A0%B1SNS
【発明の概要】
【発明が解決しようとする課題】
【０００４】
一般的にマネキンが装着する服、装飾商品はファションモデルのような均整体形仕様が対象であるが一般顧客において前記モデルのような均整体形を有する者は希少である。
さらに、装着した商品の柄模様、デザインは体形により見目が変化する。そこで一般顧客のように均整体形がとれない者が装着すると柄模様が歪みデザイン、バランスが悪くなるばかりか着心地、見栄えも良くなかった。
また、販売する商品のサイズは例えばS（スモール）、M（ミディアム）、号等大きさが標準体型に集約している。そこで、近年大柄サイズの顧客にとっては選択肢が限定され商品購入の幅が少ないという問題がある。
コレクション、ファッションショーにおいて前記商品は入場顧客が対象で秘匿性もある。しかも、一般的顧客より服飾マニアを対象としているため生産量、販売量も限定され収益性も悪かった。
前記のような理由で、一般主婦、OL、妊婦等顧客には商品購入に躊躇いがあった。仮に顧客が商品を購入し装着しても自らの希望通りの容姿、着心地が得られなければ失望してしまう。従って、商品はクロ−ゼット、箪笥等にしまわれてしまうし後日装着しようとしても既に商品は流行遅れであり装着には気後れてしまう問題があった。
また、服飾雑貨商品である付属する靴、ジュエリー等においては高額のものが多く一般顧客が購入してこれを装着するには違和感があった。
前記理美容、マネキュア等美容業界において顧客は頭髪、爪等部位に特化した専属マネキンのように日常手入れが行き届いてないので広告通りの商品を購入してもこれを使用するには難易度が高かった。
従来のカタログ販売はホームページ、ダイレクトメール等商品販売店のカタログ製造コスト、送料コストが高い。さらに季節により何度も企画発行が必要な問題点があった。
【非特許文献１】（服飾雑貨の分類）FASHION BIZ NAVIhttp://www.fashionbiznavi.org/fbProduct/grocerClassification/
【課題を解決するための手段】
【０００５】
本発明では商品販売会社がIoT等情報ネットワークを使用し専用ソフトと携帯無線、スマートフォン等携帯情報端末により一般市場から安価にマネキンを選択する。
顧客においては専用ソフトにより自らの携帯情報端末で街中のマネキンを位置情報から検知し彼らが着用している商品検索をすることで実際の職場、通勤現場における使用感にとんだ商品購入が可能となる情報ネットワークマネキンシステムに関するものである。
【非特許文献２】（情報ネットワーク）ブリタニカ国際大百科事典 小項目事典の解説https://kotobank.jp/word/%E6%83%85%E5%A0%B1%E3%83%8D%E3%83%83%E3%83%88%E3%83%AF%E3%83%BC%E3%82%AF-170740#E3.83.96.E3.83.AA.E3.82.BF.E3.83.8B.E3.82.AB.E5.9B.BD.E9.9A.9B.E5.A4.A7.E7.99.BE.E7.A7.91.E4.BA.8B.E5.85.B8.20.E5.B0.8F.E9.A0.85.E7.9B.AE.E4.BA.8B.E5.85.B8
【発明の効果】
【０００６】
本発明の情報ネットワークマネキンシステムによれば、商品販売会社にとってファッションモデルのような専門特化したマネキンを高額コストで採用する必要がなく費用対効果が高い。
さらに、専用ソフトの選択により販売会社がその商品にあったマネキンを彼らの所望により自由に選択採用できる利点がある。しかも採用したマネキンが街中、車中でファッションショー会場のように商品販促ができるので販売販促効率が高い。
顧客においては、マネキンの行動により実際に商品を装着する現場で装着感がリアルに実感観察できるので臨場感の高い商品購入が可能となる。
【図面の簡単な説明】
【０００７】
【図１】本発明のシステムの構成図
【図２】本発明のシステムの詳細図
【図３】本発明のフローチャート
【図４】本発明のフローチャート
【図５】本発明のフローチャート
【図６】本発明のフローチャート
【発明を実施するための形態】
【０００８】
本発明は、情報ネットワークマネキンシステムに関し
IoT（Internet of Things）等情報ネットワークを使用し専用ソフトであるマネキン特定ソフトとマネキン検知検索ソフトとを使用して携帯情報端末によりマネキンを特定して彼らが装着した商品情報を検知、検索する。
前記情報ネットワークには、服飾企画等を実行する複数の商品販売会社、商品を販売する複数の商品販売会社、携帯情報端末等と通信をする複数の通信設備を有線、無線等で接続する。
ここにおいて商品販売会社をクラウド上に構築して通信設備によりマネキン、顧客の携帯情報端末と無線通信により情報の授受をするようにしてもよい。
マネキンは
携帯情報端末を携帯し商品を着装して彼らが室内、街中、車中等でデモンストレーションする。
ここでは、顧客に自らの特定個人情報、位置情報と衣服、服飾雑貨や美容、理容等商品販売の対象となる商品情報とを提供する。
前記位置情報と商品情報は後述するマネキン特定ソフトにより情報リンクする。
マネキン特定ソフト機能は
顧客が位置情報からマネキンを特定すると、商品情報の中からマネキンが着装した商品情報の詳細、前記特定個人情報を顧客の携帯情報端末のディスプレイに表示する。
位置情報には地図を組合せてマネキンをディスプレイ上に表示するようにしてもよい。
ネキン特定ソフトは服飾企画等の商品販売会社から契約完了したマネキンに対して支給する。マネキンは自らの携帯情報端末にマネキン特定ソフトをダウンロードして使用する。
また、マネキンは自らの携帯情報端末のカメラを使用して自分が装着した商品を街中等で撮影する。そしてこれを商品販売会社に送付してカタログ化承認をするようにしてもよい。
本発明のシステムでは
商品販売会社 はマネキンに対し顧客からのアクセス回数、商品販売契約、販売成功報酬に関して例えばポイント制等で報酬を支払う。
マネキンは商品を着装すると共に携帯情報端末を携帯して室内、街中、車中等実際の商品使用現場を例えば室内、徒歩、乗車等で移動して商品販促のデモンストレーションにより販促をする。
顧客は、商品販売会社HP等からマネキン検知検索ソフトを自らの携帯情報端末にダウンロードして使用する。顧客は必要に応じて携帯情報端末のマネキン検知検索ソフトを作動してマネキン検索モードを選択する。マネキン検知検索ソフトはマネキンの位置情報に反応して携帯情報端末のディスプレイにマネキンの位置を例えば地図上に表示する。
マネキン検知検索ソフトの機能は
１）顧客がマネキンの位置情報を特定するとこれを分析してその所在位置、前記特定個人情報を携帯情報端末のディスプレイ、例えば地図上で表示する。
２）顧客が所在位置である現場に赴きマネキンを携帯情報端末のカメラで撮影するとその画像像法をパターン認識技術等により分析して商品情報の中からマネキンが着装した商品の商品詳細情報、前記特定個人情報、商品販売会社抽出して携帯情報端末に表示する。
さらに、前記検索方法の選択によりマネキン自身の特定個人情報、その位置情報、商品の商品詳細情報を比較して表示できるようにしてもよい。
ここにおいて、前記撮影におけるマネキンの肖像権は予めマネキンと交渉して承認しておけばよい。
３）顧客は商品使用現場においてカメラを使用してマネキンの商品着装状態を現場風景と共に写真、動画等画像で撮影し装着状態を分析することができる。
４）マネキンの撮影画像は一般市販、マネキン検知検索ソフトの画像ソフトにより顧客の好みに加工できるようにしてもよい。
マネキン検知検索ソフトはポケモンGOのような位置情報ゲームアプリ、位置情報SNS等を使用しこれらの拡張現実をマネキンによる現実画像と置換するようにすればよい。
５)顧客は選択した商品を商品販売会社のインターネットHPから購入する。
【実施例１】
【０００９】
本発明の情報ネットワークマネキンシステムを一実施例により説明する。
図１、図２は、本発明の情報ネットワークマネキンシステム構成を示している。
本システムは各々複数の販売会社等をIoT（Internet of Things）等インターネット等情報ネットワークTLにより接続して情報データを授受する。
さらに、専用ソフトであるマネキン特定ソフトとマネキン検知検索ソフトとを使用して携帯情報端末によりマネキンを特定して彼らが装着した商品情報を検知、検索する。
その詳細は、情報ネットワークTLには服飾企画等を実行する複数の商品販売会社２０A−２０N、商品１０を販売する複数の商品販売会社３０A−３０N、携帯情報端末2,１２等と通信をする複数の通信設備４０A−４０Nを有線、無線等で接続する。
ここにおいて商品販売会社２０A−２０N、商品販売会社３０A−３０NをクラウドCR上に構築する。そして通信設備４０A−４０ＮによりマネキンET、顧客１の携帯情報端末２,１２と無線通信により情報の授受をするようにしてもよい。
まず、マネキンETについて説明する。
マネキンETは
携帯電話、スマートフォン、タブレット端末、タブレットPC、ノートパスコン等のGPS機能を有する携帯情報端末１２を携帯し商品１１を着装してこれを室内、街中、車中等でデモンストレーションにより販促をする。
ここでは、顧客１に自らの特定個人情報（例えば身長、体重、身体サイズ、年齢、職種等）、位置情報IJと衣服、服飾雑貨や美容、理容等商品販売の対象となる商品情報SJとを提供する。前記商品情報SJとは商品の総体でありここでは服飾1０A、手袋、靴下、グラス、ネックレス1０B、腕輪1０C、ベルト1０D、靴1０E、バッグ1０F、美容、理容1０G等の商品１１を意味する。
ここにおいて、前記美容、理容1０Gの部類に香水、マネキュアを包含してもよい。
また、美容、理容1０G部類にウィッグ、髪飾り、ヘヤカット、毛染め、ヘヤーデザイン等の商品やこれを施行する美容院、床屋等店舗情報を包含してもよい。
前記位置情報IJと商品情報SJは後述するマネキン特定ソフトMSにより情報リンクするようになっている。
マネキン特定ソフトMS機能は
顧客１が位置情報IJからマネキンETを特定すると商品情報SJの中からマネキンETが着装した商品11情報の詳細（色、柄、サイズ、価格、販売店等）、前記特定個人情報を顧客１の携帯情報端末２のディスプレイ４に表示する。
位置情報IJには地図を組合せてマネキンETをディスプレイ４に表示するようにしてもよい。
ネキン特定ソフトMSは服飾企画等の商品販売会社20A&#8212;20Nから契約完了したマネキンETに対して支給する。マネキンETは自らの携帯情報端末12にマネキン特定ソフトMSをダウンロードして使用する。
さらに、マネキンETは自らの携帯情報端末１２のカメラ１３を使用して自分が装着した商品１１を街中等で撮影する。そしてこれを商品販売会社20A&#8212;20N に送付してカタログ化承認をするようにしてもよい。
このシステムでは
商品販売会社20A&#8212;20N はマネキンETに対し顧客１からのアクセス回数、商品１１販売契約、販売成功報酬に関して例えばポイント制で報酬を支払う。
マネキンＥＴは商品１１を着装すると共に携帯情報端末１２を携帯して室内、街中、車中（電車、バス等）等実際の商品使用現場を例えば室内、徒歩、乗車等で移動して商品１１販促のデモンストレーションをする。
顧客１について説明する。
顧客１は商品販売会社３０A−３０NのHP等からマネキン検知検索ソフトMKを自らの携帯情報端末２にダウンロードして使用する。
顧客１は必要に応じて携帯情報端末２のマネキン検知検索ソフトMKを作動してマネキンET検索モードを選択する。
マネキン検知検索ソフトMKはマネキンETの位置情報IJに反応して携帯情報端末２の例えばディスプレイ４にマネキンETの位置を例えば地図上に表示する。
マネキン検知検索ソフトMKの機能は
１）顧客１がマネキンETの位置情報IJを特定するとこれを分析してその所在位置（方位等）、前記特定個人情報を携帯情報端末２のディスプレイ４に例えば地図上で表示する。
２）顧客１が所在位置である現場に赴きマネキンETを携帯情報端末２のカメラ３で撮影するとその画像像法を分析してパターン認識技術等により商品情報SJを抽出しマネキンETが着装した商品11の商品詳細情報（色、柄、サイズ、価格等）、前記特定個人情報、商品販売会社３0A&#8212;３0Nを携帯情報端末２に表示する。
さらに、前記検索方法の選択によりマネキンET自身の特定個人情報（例えば身長、体重、年齢等）、その位置情報IJ、商品11の商品詳細情報を比較して表示できるようにしてもよい。
ここにおいて、前記撮影におけるマネキンETの肖像権は予めマネキンと交渉して承認しておけばよい。
３）顧客１は商品使用現場においてカメラ３を使用してマネキンETの商品１１着装状態を現場風景と共に写真、動画等画像で撮影し装着状態を分析することができる。
４）マネキンETの撮影画像は一般市販、マネキン検知検索ソフトMKの画像ソフトにより顧客１の好みに加工できるようにしてもよい。
マネキン検知検索ソフトMKはポケモンGOのような位置情報ゲームアプリ、位置情報SNS等を使用しこれらの拡張現実（AR）をマネキンETによる現実画像と置換するようにすればよい。
【非特許文献３】（ポケモンGO  Pokemon GO）Wikpediahttps://ja.wikipedia.org/wiki/Pokemon_GO
【非特許文献４】（位置情報SNS）  Wikipediahttps://ja.wikipedia.org/wiki/%E4%BD%8D%E7%BD%AE%E6%83%85%E5%A0%B1SNS５)顧客１は選択した商品１１を商品販売会社３０A−３０NのインターネットHPから購入する。次に、この発明のシステムについて図３−６のフローチャートにより説明する。まず、商品販売会社20A&#8212;20N は商品１１販促のためマネキンETを商品販売会社20A&#8212;20Nのインターネット広告等で募集する。商品販売会社20A&#8212;20N はマネキンETと契約、登録しその前記特定個人情報を分類してマネキン情報としてストックしておく。（ステップ１,３,４,５,６）ここにおいて、マネキンETは自ら商品販売会社20A&#8212;20Nを探し自己PRで売込みをして契約、登録し前記特定個人情報をマネキン情報としてストックしてもらってもよい。（ステップ１,２,３,４,５,６）次に、商品販売会社20A&#8212;20Nが商品１１の販売企画をする。商品販売会社20A&#8212;20N は前記ストックマネキン情報の中から商品１１に適したマネキンETを選択する。（ステップ７,８）選択したマネキンETを招集し、これに企画した商品１１を着装する。（ステップ９,１０）そして例えば社内、スタジオ等でこれを撮影して商品１１カタログを作製しHP等に掲載する。（ステップ１１,１２,１３）ここで、マネキンETの前記個人情報が企画した商品１１に適合しなければ他のマネキン情報のストックから再度適合するマネキンETを選択する。（ステップ８,６,７,８,９,１０,１１）そして、マネキンETを招集して再度撮影し商品１１カタログを作製する。（ステップ１２,１３）ここにおいて、商品販売会社20A&#8212;20N はマネキンETに対し一定の登録撮影料を支払ってもよい。前記登録プロセスがOKであれば商品販売会社20A&#8212;20N はマネキンETに対しマネキン特定ソフトMSソフトを支給する。（ステップ１４,１５,１６）ここにおいて、マネキン特定ソフトMSソフトはその都度更新してその企画した商品１１に対してのみ有効となるようにしてもよい。マネキンETはマネキン特定ソフトMSソフトを自らの携帯情報端末１２にインストールして後日街中でモンストレーション、実演販促をする。（ステップ１６）また、マネキンETが自らマネキン特定ソフトMSソフトにより企画した商品１１を装着して街中等で携帯情報端末１２のカメラで撮影してこれを商品販売会社20A&#8212;20N に送付しカタログ化の承認をするようにしてもよい。一方、顧客１は予め商品１１の商品販売会社30A&#8212;30N等のHP等にアクセスしてここからマネキン検知検索ソフトMKを手入し自らの携帯情報端末２にインストールしておく。（ステップ１７）顧客１が購入したい商品１１がある時、携帯情報端末２のマネキン検知検索ソフトMKを起動して商品１１の検索をする。（ステップ１８,１９）携帯情報端末２のディスプレイ４に商品１１情報とマネキンETに関する前記特定個人情報等を表示する。（ステップ２０）ここで顧客１が携帯情報端末２を携帯して街中等を例えば徒歩で移動する。この時、場所にマネキンETが存在していれば、それを検知して（ステップ２１）ディスプレイ４上にその位置、商品１１とマネキンETに関する前記特定個人情報等を表示する。（ステップ２２）いなければ顧客１は他の場所を移動して商品１１検索を繰り返す。（ステップ２１,１６）ここにおいて、携帯情報端末２マネキン検知検索ソフトMKを起動し街中等でマネキンETがデモンストレーションをしている場合これを検知して携帯情報端末２が反応してアラーム等で顧客１にこの状態を報知してもよい。顧客１はマネキンETが検知されるとマネキンETが装着している商品１１情報をHP等から読み込んで購入したければ購入手続をして商品を購入する。（ステップ２２−２６）また商品１１が気に入らなければ前記操作を繰り返す。（ステップ２７,２２−２６）また、商品が発送され顧客１がこれを受け取って例えば着装してこれが気に入らなければキャンセルして再度前記操作を繰り返す。（ステップ２８−３０）
【産業上の利用可能性】
【００１０】
本発明の情報ネットワークマネキンシステムによれば、専業の高給なファッションモデルを採用して商品販促する必要がなく広告コストが安い。
商品販売会社が選択したマネキンが街中、車中、公道等において何時でも商品販促ができ販売効率が高い。一般顧客においては実際に商品を装着する現場で臨場感の高い商品購入が可能となる。
【符号の説明】
【００１１】
１                          顧客
ET                         マネキン
２                          携帯情報端末
３                          カメラ
４                          ディスプレイ
10A−１０E                  服飾、手袋、靴下、グラス、ネックレス、腕輪ベルト、靴、バッグ美容、理容
11                          商品
12                          携帯情報端末
13                          カメラ
20A&#8212;20N                    複数の商品販売会社
30A&#8212;30N                    複数の商品販売会社
40A&#8212;40N                    複数の通信設備
TL                          情報ネットワーク
CR                          クラウド
MS                          マネキン特定ソフト
MK                          マネキン検知検索ソフト    
【図１】
2019133611.tif 000003
【図２】
2019133611.tif 000004
【図３】
2019133611.tif 000005
【図４】
2019133611.tif 000006
【図５】
2019133611.tif 000007
【図６】
2019133611.tif 000008